(57)【要約】【課題】乾湿にかかわらず、回動体の円滑で安定した動作を確保することができる鍵盤楽器の回動体支持構造を提供する。【解決手段】押鍵に伴って回動する回動体３を支持する鍵盤楽器の回動体支持構造であって、フレンジ２３と、このフレンジ２３および回動体３の一方に設けられ、互いに対向する二股状の２つの腕部２４ａ、２４ａと、フレンジ２３および回動体３の他方に設けられ、２つの腕部２４ａ、２４ａの間に係合する係合部２３ａと、を備え、２つの腕部２４ａ、２４ａと係合部２３ａとの係合により、回動体３がフレンジ２３に回動自在に支持されており、２つの腕部２４ａ、２４ａの間の間隔を保持するために、２つの腕部２４ａ、２４ａにまたがるように固定された間隔保持部材２８を、さらに備えている。【選択図】図２
2008102253.tif 000002
【特許請求の範囲】
【請求項１】
押鍵に伴って回動する回動体を支持する鍵盤楽器の回動体支持構造であって、
フレンジと、
このフレンジおよび前記回動体の一方に設けられ、互いに対向する二股状の２つの腕部と、
前記フレンジおよび前記回動体の他方に設けられ、前記２つの腕部の間に係合する係合部と、を備え、
前記２つの腕部と前記係合部との係合により、前記回動体が前記フレンジに回動自在に支持されており、
前記２つの腕部の間の間隔を保持するために、前記２つの腕部にまたがるように固定された間隔保持部材を、さらに備えていることを特徴とする鍵盤楽器の回動体支持構造。
【請求項２】
前記回動体は、前後方向に延びるハンマーシャンクを有するとともに弦を打弦するハンマーであり、
前記ハンマーシャンクは、木材で構成され、前端部には左右の前記２つの腕部が設けられ、
前記フレンジは、前記ハンマーシャンクを支持するハンマーシャンクフレンジであり、
当該ハンマーシャンクフレンジは、後端部に前記係合部が設けられていることを特徴とする請求項１に記載の鍵盤楽器の回動体支持構造。
【請求項３】
前記間隔保持部材は、前記ハンマーシャンクの前記２つの腕部の上面および下面の少なくとも一方に、当該２つの腕部にまたがるように貼り付けられた合成樹脂であることを特徴とする請求項２に記載の鍵盤楽器の回動体支持構造。
【請求項４】
前記合成樹脂がフェノールバッカーであることを特徴とする請求項３に記載の鍵盤楽器の回動体支持構造。
【請求項５】
前記間隔保持部材は、前記ハンマーシャンクの前記２つの腕部の内側面間に固定され、前記ハンマーシャンクフレンジの前記係合部に形成されたピン孔に回動自在に係合するピンであることを特徴とする請求項２に記載の鍵盤楽器の回動体支持構造。
【請求項６】
滑性および耐摩耗性を有する材料で構成され、前記ピン孔に取り付けられた筒状の軸受を、さらに備えていることを特徴とする請求項５に記載の鍵盤楽器の回動体支持構造。
【発明の詳細な説明】
【技術分野】
【０００１】
本発明は、押鍵に伴って回動する回動体を支持する鍵盤楽器の回動体支持構造に関する。
【背景技術】
【０００２】
従来の鍵盤楽器の回動体支持構造として、例えば特許文献１に開示されたグランドピアノのハンマーの支持構造が知られている。ハンマーは、各鍵に対応するように設けられており、ハンマーシャンクフレンジ（以下、単に「シャンクフレンジ」という）に回動自在に支持されている。各ハンマーは、細長い棒状の木製のハンマーシャンクと、このハンマーシャンクの後端部に固定されたハンマーヘッドなどで構成されている。ハンマーシャンクの前端部には、互いに平行な二股状の左右２つの腕部が形成されている。また、シャンクフレンジは、合成樹脂の成形品で構成されており、ハンマーシャンクレールにねじ止めされている。シャンクフレンジの後端部には、後方に突出する係合部が設けられており、この係合部の両側に、ハンマーシャンクの２つの腕部が係合している。また、両腕部および係合部には、ピンが水平に通されており、このピンは、係合部に固定される一方、両腕部に対して回動自在になっている。これにより、ハンマーは、シャンクフレンジと一体のピンを介して、シャンクフレンジに回動自在に支持されている。また、シャンクフレンジの係合部の両側面は、互いに平行に形成されており、ハンマーシャンクの両腕部の内側面に、若干の隙間をもって対向している。
【０００３】
以上の構成により、鍵が押鍵されると、アクションが作動することによって、ハンマーシャンクが突き上げられることにより、ハンマーが上方に回動し、ハンマーヘッドが弦を打弦することによって、ピアノ音が発生する。また、このハンマーの回動時、ハンマーシャンクが、その腕部およびシャンクフレンジの係合部で案内されることにより、ハンマーは、左右にぶれることなく回動する。
【０００４】
しかし、ハンマーシャンクは木製であるため、ピアノの使用環境、特に乾湿の影響を受けやすく、両腕部間の寸法の変化により、ハンマーの円滑で安定した回動動作を得られなくなるおそれがある。具体的には、乾燥による収縮によって、ハンマーシャンクの両腕部間の寸法が小さくなると、両腕部と係合部の間の隙間がなくなり、ハンマーが円滑に回動しないような動作不良（以下「スティック」という）を生じることがある。逆に、湿潤による膨張によって、両腕部間の寸法が大きくなると、両腕部と係合部の間の隙間が広がり、その結果、ハンマーが回動する際に、左右にぶれたり、がたつきが生じたりすることにより、打弦を適切に行えないおそれがある。
【０００５】
本発明は、以上のような課題を解決するためになされたものであり、乾湿にかかわらず、回動体の円滑で安定した動作を確保することができる鍵盤楽器の回動体支持構造を提供することを目的とする。
【０００６】
【特許文献１】特開２００５−７７４５５号公報
【発明の開示】
【課題を解決するための手段】
【０００７】
上記の目的を達成するために、請求項１に係る発明は、押鍵に伴って回動する回動体を支持する鍵盤楽器の回動体支持構造であって、フレンジと、このフレンジおよび回動体の一方に設けられ、互いに対向する二股状の２つの腕部と、フレンジおよび回動体の他方に設けられ、２つの腕部の間に係合する係合部と、を備え、２つの腕部と係合部との係合により、回動体がフレンジに回動自在に支持されており、２つの腕部の間の間隔を保持するために、２つの腕部にまたがるように固定された間隔保持部材を、さらに備えていることを特徴とする。
【０００８】
この構成によれば、例えばハンマーなどの回動体、およびフレンジの一方に設けられ、互いに対向する二股状の２つの腕部の間に、他方に設けられた係合部が係合することにより、回動体がフレンジに回動自在に支持されている。これにより、回動体は、押鍵に伴い、２つの腕部および係合部で案内されながら回動する。また、２つの腕部には、これらにまたがるように、間隔保持部材が固定されており、この間隔保持部材によって両腕部が拘束され、それにより、特に、両腕部が互いに対向する方向の変位が抑制される。これにより、両腕部間の寸法を安定して維持できることによって、両腕部の内側面と係合部の間の隙間の大きさも維持でき、その結果、乾湿によるスティックの発生および回動体が回動する際のぶれやがたつきを防止することができる。したがって、乾湿にかかわらず、回動体の円滑で安定した動作を確保することができる。
【０００９】
請求項２に係る発明は、請求項１に記載の鍵盤楽器の回動体支持構造において、回動体は、前後方向に延びるハンマーシャンクを有するとともに弦を打弦するハンマーであり、ハンマーシャンクは、木材で構成され、前端部には左右の２つの腕部が設けられ、フレンジは、ハンマーシャンクを支持するハンマーシャンクフレンジであり、ハンマーシャンクフレンジは、後端部に係合部が設けられていることを特徴とする。
【００１０】
この構成によれば、回動体が、前後方向に延びる木製のハンマーシャンクを有するハンマーであり、ハンマーシャンクの前端部には、左右２つの腕部が設けられている。一方、フレンジは、ハンマーシャンクを支持するハンマーシャンクフレンジであり、その後端部に、ハンマーシャンクの両腕部間に係合する係合部が設けられている。したがって、前記間隔保持部材により、ハンマーシャンクの両腕部間の寸法が安定して維持されるので、ハンマーは、円滑に安定して回動することができる。それにより、ハンマーによる打弦を適切に行えることによって、良好な音を発生させることができる。
【００１１】
請求項３に係る発明は、請求項２に記載の鍵盤楽器の回動体支持構造において、間隔保持部材は、ハンマーシャンクの２つの腕部の上面および下面の少なくとも一方に、２つの腕部にまたがるように貼り付けられた合成樹脂であることを特徴とする。
【００１２】
この構成によれば、間隔保持部材としての合成樹脂が、ハンマーシャンクの２つの腕部の上面および下面の少なくとも一方に、２つの腕部にまたがるように貼り付けられている。一般に、合成樹脂は、乾湿に対する寸法安定性が高いので、剛性が比較的高い合成樹脂を間隔保持部材として採用することにより、乾湿によるハンマーシャンクの両腕部の変位を有効に抑制することができる。また、上記合成樹脂の両腕部への取り付けは、貼り付けによって行われるので、既存の鍵盤楽器のハンマーシャンクへの取り付けを後付けで容易に行うことができる。それにより、既存の鍵盤楽器において、ハンマーの円滑で安定した回動を確保することができる。
【００１３】
請求項４に係る発明は、請求項３に記載の鍵盤楽器の回動体支持構造において、合成樹脂がフェノールバッカーであることを特徴とする。
【００１４】
一般に、フェノールバッカー（フェノール樹脂含浸紙）は、高い剛性を有するとともに、乾湿に対する高い寸法安定性を有している。また、フェノールバッカーは、比較的安価であるとともに、木材に対する接着性が高いという特性を有する。したがって、上記の合成樹脂として、フェノールバッカーを採用し、これを両腕部に貼付けによって取り付けることにより、円滑に安定して回動するハンマーの支持構造を、低コストで容易に実現することができる。
【００１５】
請求項５に係る発明は、請求項２に記載の鍵盤楽器の回動体支持構造において、間隔保持部材は、ハンマーシャンクの２つの腕部の内側面間に固定され、ハンマーシャンクフレンジの係合部に形成されたピン孔に回動自在に係合するピンであることを特徴とする。
【００１６】
この構成によれば、間隔保持部材としてのピンが、ハンマーシャンクの２つの腕部の内側面間に固定され、ハンマーシャンクフレンジの係合部に形成されたピン孔に回動自在に係合している。これにより、ハンマーは、ハンマーシャンクと一体のピンを介して、ハンマーシャンクフレンジに回動自在に支持される。また、ピンが２つの腕部間に固定されているので、両腕部の変位が拘束される。これにより、両腕部間の寸法を安定して維持できることによって、両腕部の内側面と係合部の間の隙間の大きさも維持でき、その結果、ハンマーの円滑で安定した動作を確保することができる。また、一般に、ハンマーシャンクとこれを支持するハンマーシャンクフレンジには、ピンが通されるので、既存のピンを、間隔保持部材として有効に利用することができる。また、請求項３および４と異なり、間隔保持部材としての合成樹脂が不要な分、ハンマーの支持構造を、より低コストで実現することができる。
【００１７】
請求項６に係る発明は、請求項５に記載の鍵盤楽器の回動体支持構造において、滑性および耐摩耗性を有する材料で構成され、ピン孔に取り付けられた筒状の軸受を、さらに備えていることを特徴とする。
【００１８】
この構成によれば、滑性および耐摩耗性を有する材料で構成された筒状の軸受が、係合部のピン孔に取り付けられているので、ハンマーシャンクと一体のピンが、ピン孔に対し、長期間にわたって円滑に回動することができる。その結果、ハンマーの円滑で安定した回動を、長期間にわたって確保することができる。また、軸受は、鍵盤楽器に一般に用いられる羊毛製のブッシングクロスよりも硬い材料で構成することが好ましい。この場合には、ハンマーが回動する際に、ピンが軸受の内周面を押圧しても、その内周面の変形を抑制することができ、それにより、ハンマーは、ぶれやがたつきが生じることなく、より安定して回動することができる。
【発明を実施するための最良の形態】
【００１９】
以下、図面を参照しながら、本発明の好ましい実施形態を詳細に説明する。図１は、本発明の第１実施形態による回動体支持構造を用いたグランドピアノの鍵盤１、アクション２およびハンマー３などを、離鍵状態において示している。
【００２０】
鍵盤１は、グランドピアノの左右方向に並んだ多数の鍵１ａ（１つのみ図示）によって構成されている。各鍵１ａは、前後方向（図１の左右方向）に延び、その中央において、棚板上の筬に立設されたバランスピン（いずれも図示せず）を中心として、回動自在に支持されている。
【００２１】
アクション２は、鍵盤１の後部の上方に設けられており、ウィッペン１１、ジャック１２およびレペティションレバー１３などを、鍵１ａごとに備えている。ウィッペン１１は、前後方向に延び、後端部において、ウィッペンフレンジ１４に支持されている。このウィッペンフレンジ１４は、上下方向に延びており、左右方向に間隔を隔てて配置された複数のブラケット１５（図１では１つのみ図示）に渡されたウイッペンレール１６にねじ止めされている。また、ウィッペンフレンジ１４の上端部には、二股状の左右２つの腕部１４ａ、１４ａ（図１では左側のもののみ図示）が設けられている。これらの両腕部１４ａ、１４ａ間には、ウィッペン１１の後端部が係合し、これらにセンターピン１７が水平に通されている。これにより、ウイッペン１１は、センターピン１７を中心として、ウィッペンフレンジ１４に回動自在に支持されている。また、ウィッペン１１の前後方向の中央部には、下方に突出するヒール部１１ａが設けられている。ウィッペン１１は、このヒール部１１ａを介して、鍵１ａの後部に設けられたキャプスタンスクリュー１ｂに載置されている。また、ウィッペン１１の前端部には、ジャック１２が支持されている。
【００２２】
ジャック１２は、上下方向に延びるハンマー突上げ部１２ａと、その下端部から前方にほぼ直角に延びるレギュレーティングボタン当接部１２ｂとにより、側面形状がＬ字状に形成されている。ウィッペン１１の前端部には、二股状の左右２つの腕部１１ｂ、１１ｂ（図１では左側のもののみ図示）が設けられている。これらの両腕部１１ｂ、１１ｂ間には、ジャック１２の角部が係合し、これらにセンターピン１８が水平に通されている。これにより、ジャック１２は、センターピン１８を中心として、ウィッペン１１の前端部に回動自在に支持されている。また、ハンマー突上げ部１２ａの上端部は、レペティションレバー１３の後述するジャック案内孔１３ａに係合するとともに、レペティションレバー１３に載置された後述するシャンクローラ２６と若干の間隔を存して対向している。さらに、ジャック１２は、後述するレペティションスプリング２２によって、復帰方向（図１の反時計方向）に付勢されている。
【００２３】
レペティションレバー１３は、斜め前上がりに前後方向に延び、ウィッペン１１の前後方向の中央部から上方に突出するレバーフレンジ部２１に支持されている。このレバーフレンジ部２１の上端部には、二股状の左右２つの腕部２１ａ、２１ａ（図１では左側のもののみ図示）が設けられている。これらの両腕部２１ａ、２１ａ間には、レペティションレバー１３の中央部が係合し、これらにセンターピン１９が水平に通されている。これにより、レペティションレバー１３は、センターピン１９を中心として、レバーフレンジ部２１の上端部に回動自在に支持されている。また、レペティションレバー１３は、レバーフレンジ部２１に取り付けられたレペティションスプリング２２によって、復帰方向（図１の反時計方向）に付勢されている。さらに、レペティションレバー１３には、その前部に、上下方向に貫通するジャック案内孔１３ａが形成され、上面のジャック案内孔１３ａ付近に、シャンクローラ２６を介して、ハンマー３が載置されている。
【００２４】
図２は、ハンマー３およびこれを支持するハンマーシャンクフレンジ（以下、単に「シャンクフレンジ」という）２３を示している。ハンマー３は、前後方向に延びるハンマーシャンク２４、およびその後端部に設けられたハンマーヘッド２５を有しており、ハンマーヘッド２５は、上方に張られた弦Ｓ（図１参照）に対向している。ハンマーシャンク２４は、木材で構成されており、前端部の左右方向の幅が他の部分よりも広く、その前端部の上面および下面が互いに平行な平面で構成されている。また、図３に示すように、ハンマーシャンク２４の前端部には、二股状の左右２つの腕部２４ａ、２４ａが設けられている。両腕部２４ａ、２４ａは、互いに左右方向に所定の間隔を隔てて対向し、前方に平行に延びている。各腕部２４ａには、左右方向に貫通したピン孔２４ｂが形成されており、このピン孔２４ｂに、フェルトで構成された円筒状の軸受２７が取り付けられている。また、ハンマーシャンク２４の前端部には、下面にシャンクローラ２６が取り付けられる一方、上面に薄板状のフェノールバッカー２８（間隔保持部材）が取り付けられている。
【００２５】
フェノールバッカー２８は、フェノール樹脂を含浸させた紙で構成されており、高い剛性と、乾湿に対する高い寸法安定性を有している。このフェノールバッカー２８は、所定の厚さ（例えば０．２〜１ｍｍ）を有し、ハンマーシャンク２４の前端部の左右方向の幅とほぼ同じ横幅を有する基部２８ａと、この基部２８の左右端部から前方に突出し、腕部２４ａの上面とほぼ同じ横幅および長さを有する２つの突出部２８ｂ、２８ｂとで、平面形状がコ字状に形成されている。このように形成されたフェノールバッカー２８は、ハンマーシャンク２４の前端部の上面に、両腕部２４ａ、２４ａにまたがるように貼り付けられている。
【００２６】
また、シャンクフレンジ２３は、合成樹脂で構成されており、複数のブラケット１５の間に渡されたハンマーシャンクレール２９（図１参照）の上面にねじ止めされている。図３に示すように、シャンクフレンジ２３は、前後方向に延び、断面が矩形状に形成されている。シャンクフレンジ２３の後端部には、ハンマーシャンク２４の両腕部２４ａ、２４ａ間の寸法よりも若干小さい幅を有するとともに後方に突出し、両腕部２４ａ、２４ａ間に係合する係合部２３ａが設けられている。この係合部２３ａには、左右方向に貫通するピン取付孔２３ｂが形成されている。そして、係合部２３ａが、両腕部２４ａ、２４ａ間に、それらの内側面との間に若干の隙間をもって配置された状態で、センターピン２０が、軸受２７、２７およびこれらの間のピン取付孔２３ｂに通されている。センターピン２０は、その中央部がピン取付孔２３ｂに固定されるとともに、両端部が軸受２７、２７に対し回動自在になっている。これにより、ハンマー３は、シャンクフレンジ２３と一体のセンターピン２０を介して、シャンクフレンジ２３に回動自在に支持されている。
【００２７】
以上の構成によれば、図１に示す離鍵状態から鍵１ａが押鍵されると、ウィッペン１１が、キャプスタンスクリュー１ｂを介して突き上げられることにより、センターピン１７を中心として上方に回動するとともに、ジャック１２およびレペティションレバー１３も、それぞれのセンターピン１８および１９を中心として回動する。そして、ハンマー３は、ジャック１２によりシャンクローラ２６を介して突き上げられ、ハンマーシャンク２４の両腕部２４ａ、２４ａおよびシャンクフレンジ２３の係合部２３ａで案内されながら、センターピン２０を中心として、図１の時計方向に回動することにより、弦Ｓを打弦し、それによりピアノ音が発生する。
【００２８】
以上のように、本実施形態によれば、ハンマーシャンク２４の両腕部２４ａ、２４ａには、これらにまたがるようにフェノールバッカー２８が取り付けられているので、両腕部２４ａ、２４ａは、拘束され、互いに対向する方向の変位が抑制される。これにより、両腕部２４ａ、２４ａ間の寸法を安定して維持できることによって、両腕部２４ａ、２４ａの内側面とシャンクフレンジ２３の係合部２３ａの間の隙間の大きさも維持することができ、その結果、乾湿によるスティックの発生およびハンマー３が回動する際の左右のぶれやがたつきを防止することができる。したがって、乾湿にかかわらず、ハンマー３の円滑で安定した動作を確保することができる。また、フェノールバッカー２８は、比較的安価であるとともに、木材に対する接着性が高いという特性を有するので、ハンマーシャンク２４への取り付けを容易に行うことができ、したがって、円滑に安定して回動するハンマー３の支持構造を、低コストで容易に実現することができる。さらに、このフェノールバッカー２８は、既存のグランドピアノのハンマーシャンクに後付けすることができ、それにより、既存のグランドピアノにおいて、ハンマーの円滑で安定した回動を確保することができる。
【００２９】
次に、図４〜図７を参照しながら、本発明の第２実施形態について説明する。本実施形態は、シャンクフレンジ２３によるハンマー３の支持構造のみが、第１実施形態と異なっている。したがって、以下の説明では、相違するハンマー３の支持構造を中心に説明するものとし、第１実施形態と同じ構成部分については、同じ符号を付すものとする。
【００３０】
本実施形態では、第１実施形態のフェノールバッカー２８が省略されるとともに、ハンマーシャンク２４とシャンクフレンジ２３を回動自在に連結するセンターピン２０が、本発明の間隔保持部材として利用されている。図４および図５に示すように、ハンマーシャンク２４の左右２つの腕部２４ａ、２４ａには、左右方向に貫通し、センターピン２０とほぼ同じ径を有するピン取付孔２４ｂ、２４ｂが形成されている。一方、シャンクフレンジ２３の係合部２３ａには、左右方向に貫通したピン孔２３ｂが形成されており、このピン孔２３ｂに、円筒状の軸受２３ｃが取り付けられている。この軸受２３ｃは、滑性および耐摩耗性を有するとともに、ピアノに一般に用いられる羊毛製のブッシングクロスよりも硬い合成樹脂（例えば、ナイロンやポリアセタール）で構成されている。
【００３１】
図６は、ハンマーシャンク２４とシャンクフレンジ２３の連結部分を示しており、図７は、図６のVII−VII線に沿う断面図である。両図に示すように、ハンマーシャンク２４およびシャンクフレンジ２３の連結部分では、係合部２３ａが、両腕部２４ａ、２４ａ間に、それらの内側面との間に若干の隙間をもって配置された状態で、センターピン２０が、ピン取付孔２４ｂ、２４およびこれらの間の軸受２３ｃに通されている。また、センターピン２０は、その両端部が両腕部２４ａ、２４ａのピン取付孔２４ｂに固定されるとともに、中央部が軸受２３ｃに対し回動自在になっている。これにより、ハンマー３は、ハンマーシャンク２４と一体のセンターピン２０を介して、シャンクフレンジ２３に回動自在に支持されている。なお、押鍵時のアクション２およびハンマー３の動作は、前述した第１実施形態と同様である。
【００３２】
以上のように、本実施形態によれば、センターピン２０の両端部が、ハンマーシャンク２４の両腕部２４ａ、２４ａに固定されているので、両腕部２４ａ、２４ａの変位が拘束される。これにより、両腕部２４ａ、２４ａ間の寸法を安定して維持できることによって、両腕部２４ａ、２４ａの内側面と係合部２３ａの間の隙間の大きさも維持でき、その結果、第１実施形態と同様、乾湿にかかわらず、ハンマー３の円滑で安定した動作を確保することができる。また、従来一般に用いられる既存のセンターピン２０を、間隔保持部材として有効に利用することができる。また、第１実施形態と異なり、フェノールバッカー２８が不要な分、ハンマー３の支持構造を、より低コストで実現することができる。さらに、シャンクフレンジ２３のピン孔２３ｂに取り付けられた軸受２３ｃは、硬度が比較的高い合成樹脂で構成されているので、ハンマー３が回動する際に、センターピン２０が軸受２３ｃの内周面を押圧しても、その内周面の変形を抑制することができ、それにより、ハンマー３は、ぶれやがたつきが生じることなく、より安定して回動することができる。
【００３３】
なお、本発明は、説明した実施形態に限定されることなく、種々の態様で実施することができる。第１および第２実施形態は、本発明の回動体支持構造を、ハンマー３の支持構造に適用した例であるが、他の回動体、すなわち、アクション２のウィッペン１１、ジャック１２およびレペティションレバー１３の支持構造に適用することも可能である。また、第１および第２実施形態では、回動体であるハンマー３のハンマーシャンク２４に２つの腕部２４ａ、２４ａを設ける一方、ハンマー３を支持するシャンクフレンジ２３に係合部２３ａを設けたが、ハンマーシャンク側に係合部を、シャンクフレンジ側に２つの腕部を設けてもよい。さらに、第１および第２実施形態は、本発明の回動体支持構造を、グランドピアノに用いた例であるが、アップライトピアノにも適用できることはもちろん、回動体を有する電子ピアノなどの他の鍵盤楽器に用いてもよい。
【００３４】
また、第１実施形態では、フェノールバッカー２８を、ハンマーシャンク２４の両腕部２４ａ、２４ａの上面にのみ取り付けたが、これに代えて、またはこれとともに、両腕部２４ａ、２４ａの下面にフェノールバッカーを取り付けてもよい。さらに、このフェノールバッカー２８に代えて、剛性を有する他の適当な合成樹脂を採用することも可能である。その他、細部の構成を、本発明の趣旨の範囲内で適宜、変更することが可能である。
【図面の簡単な説明】
【００３５】
【図１】本発明の第１実施形態による回動体支持構造を用いたグランドピアノの鍵盤、アクションおよびハンマーなどを、離鍵状態において示す側面図である。
【図２】ハンマーおよびハンマーシャンクフレンジを示す斜視図である。
【図３】図２のハンマーシャンクとハンマーシャンクフレンジの連結部分を拡大して示す分解斜視図である。
【図４】第２実施形態による回動体支持構造を適用したハンマーおよびハンマーシャンクフレンジを示す斜視図である。
【図５】図４のハンマーシャンクとハンマーシャンクフレンジの連結部分を拡大して示す分解斜視図である。
【図６】図４のハンマーシャンクとハンマーシャンクフレンジの連結部分を示す平面図である。
【図７】図６のVII−VII線に沿う断面図である。
【符号の説明】
【００３６】
１    鍵盤
１ａ  鍵
３    ハンマー（回動体）
２０    センターピン（間隔保持部材、ピン）
２３    ハンマーシャンクフレンジ（フレンジ）
２３ａ  係合部
２３ｂ  ピン取付孔、ピン孔
２３ｃ  軸受
２４    ハンマーシャンク
２４ａ  腕部
２４ｂ  ピン孔、ピン取付孔
２８    フェノールバッカー（間隔保持部材）
Ｓ    弦
【図１】
2008102253.tif 000003
【図２】
2008102253.tif 000004
【図３】
2008102253.tif 000005
【図４】
2008102253.tif 000006
【図５】
2008102253.tif 000007
【図６】
2008102253.tif 000008
【図７】
2008102253.tif 000009